(57)【特許請求の範囲】
【請求項１】
携帯機器（４）をドッキング装置（３）に取り付ける取付け手段（２０）を含む、ドッキング装置（３）と接触するように設計された、携帯機器（４）用の盗難防止装置であって、
電気信号（４４）に基づき、取付け手段（２０）のロック解除を指令する電気機械システム（４８）を備え、
前記電気信号（４４）は、ソフトウェア・ユニット（１）により供給される指令（４５）によって任意に無効にすることが可能であって、
前記指令（４５）は、電気機械システム（４８）の給電回路（４１）により行われる前記ロック解除を指令する前記電気信号（４４）より下流であることを特徴とする装置。
【請求項２】
前記電気信号（４４）が、前記ソフトウェア・ユニット（１）により前記ドッキング装置（３）に送られる無効化メッセージ（４５）に基づいて無効にされ、前記無効化メッセージ（４５）が、適切なインターフェース（４６）によって増幅された信号（５１）を生成し、該増幅された信号が前記電気機械システム（４８）の給電回路（４１）を開くことを特徴とする、請求項１に記載の装置。
【請求項３】
前記電気信号が、ソフトウェア・ユニット（１）によりドッキング装置（３）に送られる無効化解除メッセージ（４９）に基づいて有効にされ、前記無効化解除メッセージ（４９）が、適切なインターフェースによって増幅された信号を生成し、該増幅された信号が前記電気機械システム（４８）の給電回路（４１）を閉じることを特徴とする、請求項１または２に記載の装置。
【請求項４】
前記ソフトウェア・ユニット（１）を介するパスワードの入力が、該ソフトウェア・ユニット（１）による無効化解除メッセージ（４９）の送信を生じ、前記携帯機器（４）の使用を安全にすることを特徴とする、請求項３に記載の装置。
【請求項５】
前記無効化メッセージ（４５）が、パラメータ化され得る時間的基準に従って、前記ソフトウェア・ユニット（１）により自動的に送られることを特徴とする、請求項２または３に記載の装置。
【請求項６】
前記電気機械システム（４８）が、取付け手段（２０）に接続された磁石（２６）に作用する少なくとも１つの電磁石（２７、２８）を備え、該取付け手段（２０）の開放を可能にすることを特徴とする、請求項１〜５のいずれか一項に記載の装置。
【請求項７】
前記電気信号（４４）が、前記ドッキング装置（３）の所に置かれたボタン（５）により生成されることを特徴とする、請求項１〜６のいずれか一項に記載の装置。
【請求項８】
前記電気機械システム（４８）が機械的ロック解除手段（５０）を備えることを特徴とする、請求項１〜７のいずれか一項に記載の装置。
【請求項９】
Ｘ線センサー（４）をドッキングするためのステーション（３）と接触するように設計された、該Ｘ線センサー（４）に対して適することを特徴とする、請求項１〜８のいずれか一項に記載の装置。
【請求項１０】
前記電気信号（４４）の前記指令（４５）が、リンク（２）を介して前記ドッキング装置（３）に接続された医用画像システム管理ソフトウェア・プログラムを含むコンピュータ（１）によって供給されることを特徴とする、請求項１〜９のいずれか一項に記載の装置。 
【発明の詳細な説明】
【技術分野】
【０００１】
本発明は無線携帯機器用の盗難防止装置に関する。本発明はとりわけ、ドッキング・ステーションと組み合わされた、無線の携帯Ｘ線センサー用の盗難防止装置として使用される。
【背景技術】
【０００２】
医用画像の分野において、軽量の携帯機器に対する画像装置のトレンドは、これらの装置の盗難に対抗する保護に関する、新たな要求を生み出す。例えば、無線の携帯Ｘ線センサーは非常に盗み易い、大変高価なものである。そのようなセンサーに対する盗難防止システムは、次の２つの主な基準を満足しなければならない：
・盗難の技術的困難さにより、潜在的な盗人を断念させ、
・使用の制約を限定することにより、センサーを幾人もの人々によって利用可能な状態に保つことを可能にする。
【０００３】
これまで、使用されている唯一の盗難防止システムは、ラップトップ・コンピュータに用いられているような：一般的に金属のケーブルがラップトップ・コンピュータに取り付けられ、ロック解除だけの手段として機械的なキーを有する、例えばテーブルのような、より人目を引く要素に接続されているようなものである。
【０００４】
これらの盗難防止装置の主な不都合は次の通りである：
・人がセンサーをロックしようと考えずに、該センサーを置くという危険性を伴いつつ、盗難防止装置をロックするための機械的及び手動の操作が必要とされ、
・盗難防止装置のロック解除にはキーの所有を必要とし、それは相当な紛失の危険性を伴う本人が永続的にキーを持つことを意味し、
・数人による使用は、キーの増加を含んでおり、従ってこれらのキーを紛失する危険性が増し、場合によっては様々なキーの間の混同、又はキーが悪者の手に落ちた場合は不正な使用の危険性を有する。
【発明の概要】
【課題を解決するための手段】
【０００５】
本発明の１つの目的は、とりわけ前述の不具合を軽減することである。このため、本発明の主題はドッキング装置と接触するように設計された、携帯機器用の盗難防止装置である。ドッキング装置は、携帯機器をドッキング装置に取り付ける手段を備える。盗難防止装置は、電気信号に基づいて取付け手段のロック解除を指令する電気機械システムを含む。電気信号は、ソフトウェア・ユニットにより供給される指令によって無効にされ得る。
【０００６】
電気信号は、ソフトウェア・ユニットによりドッキング装置へ送られる無効化メッセージに基づいて無効にされ得る。無効化メッセージは、適切なインターフェースによって増幅された信号を生成し得る。増幅された信号は電気機械システムの給電回路を開く。
【０００７】
電気信号は、ソフトウェア・ユニットによりドッキング装置へ送られる無効化解除（ｅｎａｂｌｅ）メッセージに基づき、有効にされ得る。無効化解除メッセージは、適切なインターフェースによって増幅された信号を生成する。増幅された信号は電気機械システムの給電回路を閉じる。
【０００８】
ソフトウェア・ユニットを介するパスワードの入力は、無効化解除メッセージの該ソフトウェア・ユニットによる送信を生じ得る。パスワードの入力は、携帯機器の使用を安全にする。
【０００９】
無効化解除メッセージは、パラメータ化され得る（ｐｒｏｇｒａｍｍａｂｌｅ）時間的基準に従って、該ソフトウェア・ユニットにより自動的に送られ得る。
【００１０】
電気機械システムは、取付け手段に接続された磁石に作用し、該取付け手段が開放されることを可能にする、少なくとも１つの電磁石を含み得る。
【００１１】
電気信号は、例えばドッキング装置上に置かれたボタンにより生成される。
【００１２】
電気機械システムは、機械的ロック解除手段を備え得る。
【００１３】
携帯機器はＸ線センサーであってもよく、ドッキング装置は例えばＸ線センサー・ドッキング・ステーションである。
【００１４】
ソフトウェア・ユニットは、リンクを介してドッキング・ステーションに接続された、医用画像システム管理ソフトウェア・プログラムを含むコンピュータであり得る。
【００１５】
本発明の主な利点は特に、それが使用及び適用するのに簡単であり、また製作するのにそれほど高価でないということである。
【００１６】
本発明の特徴及び利点は、例示として与えられ、制限されず、添付図面に関して製作される以下の記述の助けにより明らかになるであろう。
【図面の簡単な説明】
【００１７】
【図１】医用画像システムの全体的線図である。
【図２ａ】ロックが解除された位置における、ドッキング・ステーションにセンサーを取り付ける装置の概略的表示である。
【図２ｂ】ロックされた位置における、ドッキング・ステーションにセンサーを取り付ける装置の概略的表示である。
【図３】ドッキング・ステーションにおける、センサーのロック／ロック解除用装置の概略的表示である。
【図４】センサーのロック／ロック解除用装置が、様々な構成においてどのように動作するかのブロック図である。
【発明を実施するための形態】
【００１８】
図１は医用画像システムを表わす。このシステムは医用画像システムを管理するためのソフトウェア・ユニット１を備える。このソフトウェア・ユニット１は医用画像システム管理ソフトウェア・プログラムを含む、コンピュータ１であり得る。コンピュータ１はリンク２を介して、センサー４用のドッキング・ステーション３と通信する。ドッキング・ステーション３とコンピュータ１との間のリンク２は、２つの電子装置間のデータ交換を可能にする電線又は光リンク、あるいは任意の別のタイプのリンクであってもよい。ドッキング・ステーション３は、例えば医用画像システムの管理用コンピュータ１への、通信リレーとしてのセンサー４用にもまた使用されている、センサー４のバッテリーの再充電用ステーションであり得る。センサー４は、動作していないとき、従ってドッキング・ステーション３の上に置かれる。ドッキング・ステーション３は、センサー４がそれと接触して置かれるときに、該センサー４を取り付ける装置を有する。この取付け装置は、センサー４がドッキング・ステーション３の上に置かれるとき、それをロック又はロック解除するための、本発明による装置と組み合わされる。センサー４は、押しボタンであり得る側方ボタン５を使って、又はドッキング・ステーション３の上に位置するロック６の中に差し込まれるキーを使ってのいずれかにより、ロックを解除され得る。
【００１９】
図２ａ及び２ｂは、センサー４をドッキング・ステーション３に取り付ける装置の一例を表わす。図２ａはドッキング・ステーション３に対してロックを解除された位置における、センサー４を表わす。図２ｂは一方で、ドッキング・ステーション３にロックされたセンサー４を表わす。図２ａ及び２ｂにおけるセンサー４は、ドッキング・ステーション３上に置かれた第１端３１及び第２端３２を含む、小さなケースの形である。長方形ブロックの形状で表わされるドッキング・ステーション３は、センサー４がドッキング・ステーション３上に置かれているとき、該センサー４の保持を可能にする、取付け装置２０を備える。センサー４をドッキング・ステーション３に取り付ける装置２０は、本発明による装置の一環として、特定のロック解除手順を行なうことなしにはドッキング・ステーション３から取り除けないように、該センサー４がドッキング・ステーション３上に置かれている時にはロックされる。例えばドッキング・ステーション３の横の部分に位置するボタン５は、単にそれを押すことによりセンサー４を解放するために使用され得る。この押す操作は、それがセンサー４を解放するように、取付け装置２０を作動させることを可能にする。該ボタン５は、その存在を知る人だけが作動させ得るために、目立たないように置かれ得る。これは、センサー４をドッキング・ステーション３から取り除ける人の数を、減少させることを可能にする。
【００２０】
センサー４をドッキング・ステーション３に取り付ける装置２０は、該ドッキング・ステーション３と接触しているセンサー４を保持できる、２つの剛性のある薄板（ｓｔｒｉｐ）２１、２２を備え得る。センサー４は、ドッキング・ステーション３へと押し付けられるように、第１の薄板２１とドッキング・ステーション３との間でスライドさせられる。第１の薄板２１はドッキング・ステーション３に固定される。センサー４の第１端３１が第１の薄板２１とドッキング・ステーション３との間に位置するとき、センサー４は、第１の回転可能な軸２５を介して第２のロッド２４に接続されている、第１のロッド２３に圧力を加える。該第１のロッド２３の回転運動は、第２ロッド２４の並進運動を引き起こす。磁石２６が第２のロッド２４に取り付けられている。センサー４を取り付ける装置２０が、図２ａに示すように開放位置にあるとき、磁石２６は２つの電磁石２７、２８の間に位置する。センサー４を取り付ける装置２０が閉じるとき、磁石２６は第２のロッド２４により平行移動する：それはもはや２つの電磁石２７、２８の間に位置しない。センサー４を取り付ける装置２０が閉じるとき、第２のロッド２４はその並進運動において、第２のロッド２４に固定された第２の回転可能な軸２９、及び第２の薄板２２を動作させる。第２ロッド２４の並進運動は、第２の回転軸２９を介して、ドッキング・ステーション３に固定された第３の回転軸３０まわりに第２の薄板２２の回転を生じる。該第２の薄板２２はそのときセンサー４の第２端３２を覆い、それによってセンサー４をドッキング・ステーション３にロックするであろう。
【００２１】
センサー４を取り付ける装置２０が閉じるとき、ボタン５を押す操作は磁石２６を吸引する電磁石２７、２８への給電を可能にし、それによって、センサー４を取り付ける装置２０を閉じるために用いられる並進運動とは反対方向に、ロッド２４の並進運動を生み出す。この並進運動は第２の薄板２２が第３の回転軸３０まわりに回転することを引き起こし、それによりセンサー４を解放する。
【００２２】
取付け装置２０は有利なことに、センサー４がドッキング・ステーション３上に置かれているとき、それが自動的にロックされることを可能にする。センサー４を取り出すことは、ボタン５を押して、次にそのボタン５に対する圧力のおかげで開放された取付け装置２０から、センサー４を引き出すことにあり得る、簡単な手動操作を要する。
【００２３】
図３は、センサー４を取り付ける装置２０によりロックされる、ドッキング・ステーション３上に該センサー４が置かれているとき、それをロック及びロック解除するための、本発明による電気機械装置４８の適用を示す。本発明によるロック及びロック解除装置４８は例えば、給電回路４１が閉じているとき、電磁石２７、２８に給電することを可能にする、電源装置４０を含む。給電回路４１は例えば２つのスイッチ４２、４３を有する。第１のスイッチ４２はボタン５の圧力で閉じ、それはこのための電気信号４４を生成する。該第１のスイッチ４２の閉鎖は、２つの電磁石２７、２８への給電をもたらし、それによって図２ａに示すようにセンサー４のロックを解除する。ボタン５を用いて行なわれる該センサーのロック解除は、それゆえ電気的なロック解除動作である。
【００２４】
第２のスイッチ４３は電磁的ロック解除の無効化が要求されたときのみ開かれる。ボタン５を用いたセンサー４のロック解除は、コンピュータ１からステーション３に送られる無効化メッセージ４５を用いて無効にされ得る。この無効化メッセージ４５がドッキング・ステーション３により一旦受信されたならば、適切なインターフェース４６が、スイッチ４３を開く指令モジュール４７に伝送された増幅信号５１へと、このメッセージを変換する。この場合、無効化解除メッセージ４９がコンピュータ１によって送られない限り、ボタン５を押すことはセンサー４のロック解除に対して効果がない。
【００２５】
ドッキング・ステーション３が無効化解除メッセージ４９を受信したとき、増幅された信号５１がスイッチ４３を閉じるように、インターフェース４６はこの無効化解除メッセージ４９を、指令モジュール４７に伝送される該増幅信号５１へと変換する。一旦スイッチ４３が閉じられたならば、単にボタン５を押すことがセンサー４のロック解除を可能にする。
【００２６】
無効化メッセージ４５は、医用画像システム管理ソフトウェア・プログラムのマンマシン・インターフェースを介して、ユーザーにより送られ得る。該無効化メッセージも又、医用画像システム管理ソフトウェア・プログラムによって、該医用画像システム管理ソフトウェア・プログラム内の、パラメータ化され得る基準へ自動的に送られ得る。この基準は、例えば無効にされた状態の始まりに対する時間及び日付か、あるいはセンサー４の最後の使用からの決められた経過時間のような、時間的基準であり得る。自動モード又は手動モードにおける、無効にされた状態の動作は、医用画像システム管理ソフトウェア・プログラム内でパラメータ化され得る。無効化解除メッセージ４９は、例えば医用画像システム管理ソフトウェア・プログラムからユーザーの操作で、あるいはパスワードを入力することにより送られ得る。これは携帯機器の使用を安全にすることが可能である：具体的には、医用画像システム管理ソフトウェア・プログラム又はパスワードを知っている人だけが、センサー４のロック解除を有効にし得る。
【００２７】
ロック解除を有効にするためのメッセージ４９が送信され得ないとき、ボタン５を介した電気的ロック解除が、無効にされた状態において実行され、機械的ロック解除手段５０が、例えばキーを用いて、センサー４をドッキング・ステーション３から解放するため、該ステーション３のロック６内で操作されることを可能にする。該キーは、２つの電磁石２７、２８の間に磁石２６を設置するために、ロッド２４を引くことを可能にする、例えば図示されていない機械的システムを操作することにより作用することができ、それは図２ａに示すようなセンサー４のロック解除をもたらす。これは従って有利なことに、例えばコンピュータとドッキング・ステーション３との間のリンク２が機能しないか、又はコンピュータのパスワードが失われたとき、センサー４のロック解除を可能にする。
【００２８】
本発明による装置は、従って様々な使用状況に応じて、センサー４のロック及びロック解除用の幾つかの手段を持つことを可能にする。
【００２９】
図４はセンサー４のロックされた状態に応じて、該センサー４を解放するために実施されるべき手順の、ブロック線図を表わす。本発明による装置の一般原則は、以下の３つの異なる方法で盗難防止装置を使えるようにすることである。
・標準的使用においては、ステーション３のボタン５を押すことが、センサー４をドッキング・ステーション３から取り出せるように、該センサー４をロック解除するためには十分であり、
・より安全な使用方法において、ロック操作はボタン５を用いて無効にされ、
・例えば故障の場合のような劣化した使用モードにおいては、キーを用いてセンサーを解放することができる。
【００３０】
センサー４は、ステーション３上におけるそのロックに関連して、幾つかの状態にあり得る：第１の状態６０は、例えばセンサーがドッキング・ステーションの外側にある時にロック解除されているか、又は取付け装置２０がドッキング・ステーション３上でセンサー４をロックしていない時であり得る。第２の状態６１は、センサー４がドッキング・ステーション３上にロックされているが、しかしロック解除が無効にされず、それは例えば典型的に、盗難防止装置の標準的使用の場合である状況に相当し得る：その時、センサー４を解放するためにはボタン５を押せば十分である。第３の状態６２はロック解除が無効にされ、センサーがロックされている状態に相当し得る。この第３の状態６２は、センサー４の安全な使用に対応し、無効にされた状態を取り除くためには、コンピュータ１上におけるオペレータの操作が必要である。センサー４は、例えばそれが少ししか使用されないとき、この第３の状態６２に置かれ得る。
【００３１】
センサー４がロックを解除された状態６０にあり、そしてドッキング・ステーション３上に置かれているとき：
・センサーがロックされ、ロック解除が無効にされない状態６１に、それが切り換わるか、
・又はセンサー４がステーション３上に置かれる前に、該ステーション３がコンピュータ１から無効化メッセージ４５を受信した場合、センサーがロックされ、ロック解除が無効にされた状態６２に、それが切り換わる。
【００３２】
センサーがロックされ、ロック解除が無効にされない状態６１にセンサー４があるとき：
・ボタン５が単に押され、センサー４がロックを解除され、それが次にセンサーのロックを解除された状態６０に切り換わるか、
・又はステーション３がコンピュータ１から無効化メッセージ４５を受信し、該センサー４が次に、センサーがロックされ、ロック解除が無効にされた状態６２に切り換わる。
【００３３】
センサー４が状態６２にあるとき、センサーはロックされ、ロック解除は次の場合に無効にされる：
・センサーがロックされ、ロック解除が無効にされない状態６１に該センサーを切り換える無効化解除メッセージ４９をユーザーがコンピュータ１を介して送るか、
・又は無効化解除メッセージ４９を送ることが不可能で、この場合センサー４をステーション３から機械的に解放するために、キーを利用することが必要であるとき。センサー４はそのとき、センサーがロック解除された状態６０にある。
【００３４】
本発明による盗難防止装置は、携帯機器の通常の使用が幾人かのユーザー間での共有を必要とするとき、１つがその他のコントローラである、別の装置とペアになることが望まれる任意の携帯機器に適用され得る。例えば、マンマシン・インターフェースを介して、携帯機器のロック解除が無効にされた状態を取り除くための指令を可能にする、組み込まれたソフトウェアを有するステーションを持つことができる。
【００３５】
標準的使用の範囲内で、本発明による盗難防止装置の主な利点は、様々なユーザー間でのキーの共有はないが、しかし盗難防止保護とは別個のやり方で、現行の医用画像ハードウェア管理システムの共同利用が存在することである。
【００３６】
本発明による装置の別の利点は、標準的使用において、センサー４の各使用のためにコードを入力すること、又はキーを持つことが不要ということである。例えばセンサー４の集中的な使用の間に有利なことは、センサー４をロック解除するために行なわれるべき操作が、そのとき速く簡単であるということである。
【００３７】
センサーはドッキング・ステーション３上に該センサー４を置くことにより、有利にも他の操作無しにロックされる。これは、センサー３がドッキング・ステーション３上に置かれると直ちにロックされるのを確実にすることができる。
【００３８】
本装置の別の利点は、適用するのに簡単だということである。具体的には、本装置は現行のハードウェアに対して僅かな追加しか必要としない。 
【図２ａ】
0005526429.tif 000002
【図２ｂ】
0005526429.tif 000003
【図３】
0005526429.tif 000004
【図４】
0005526429.tif 000005
【図１】
0005526429.tif 000006